(57)【要約】【課題】  接続された直流電源の出力特性に応じた適切な報知を行うことができるライティングダクト用フィードイン及びこれを用いたライティングダクトシステムを提供する。【解決手段】  照明器具２が接続されるライティングダクト３と直流電源４との接続に用いられるライティングダクト用フィードイン１である。直流電源４からライティングダクト３へ流れる電流の電流値が基準電流値を上回る異常である過電流が発生したときに光による報知を行う報知部７を備える。接続される直流電源４の出力特性に応じて、ライティングダクト用フィードイン１が有する基準電流値変更手段としての切替スイッチを切り替えることで、上記異常の判断基準としての基準電流値を変更し、報知を直流電源４に応じた適切なものとすることができる。【選択図】図１
2014022136.tif 000002
【特許請求の範囲】
【請求項１】
照明器具が接続されるライティングダクトと直流電源との接続に用いられるライティングダクト用フィードインであって、
前記直流電源に電気的に接続される電源接続部と、
前記ライティングダクトに電気的に接続されるダクト接続部と、
前記電源接続部と前記ダクト接続部とを互いに電気的に接続する内部配線と、
前記内部配線に流れる電流の電流値が基準電流値を上回ったときに報知を行う報知部と、
前記基準電流値を変更する基準電流値変更手段とを備えることを特徴とするライティングダクト用フィードイン。
【請求項２】
照明器具が接続されるライティングダクトと直流電源との接続に用いられるライティングダクト用フィードインであって、
前記直流電源に電気的に接続される電源接続部と、
前記ライティングダクトに電気的に接続されるダクト接続部と、
前記電源接続部と前記ダクト接続部とを互いに電気的に接続する内部配線と、
前記電源接続部に入力される電圧の電圧値が基準電圧値を下回ったときに報知を行う報知部と、
前記基準電圧値を変更する基準電圧値変更手段とを備えることを特徴とするライティングダクト用フィードイン。
【請求項３】
照明器具が接続されるライティングダクトと直流電源との接続に用いられるライティングダクト用フィードインであって、
前記直流電源に電気的に接続される電源接続部と、
前記ライティングダクトに電気的に接続されるダクト接続部と、
前記電源接続部と前記ダクト接続部とを互いに電気的に接続する内部配線と、
前記内部配線に流れる電流の電流値が基準電流値を上回ったとき、並びに、前記電源接続部に入力される電圧の電圧値が基準電圧値を下回ったときに報知を行う報知部と、
前記基準電流値を変更する基準電流値変更手段と前記基準電圧値を変更する基準電圧値変更手段との少なくとも一方とを備えることを特徴とするライティングダクト用フィードイン。
【請求項４】
照明器具が接続されるライティングダクトと直流電源との接続に用いられるライティングダクト用フィードインであって、
前記直流電源に電気的に接続される電源接続部と、
前記ライティングダクトに電気的に接続されるダクト接続部と、
前記電源接続部と前記ダクト接続部とを互いに電気的に接続する内部配線と、
前記内部配線に流れる電流の電流値が基準電流値を上回り、且つ、前記電源接続部に入力される電圧の電圧値が基準電圧値を下回ったときに報知を行う報知部と、
前記基準電流値を変更する基準電流値変更手段と前記基準電圧値を変更する基準電圧値変更手段との少なくとも一方とを備えることを特徴とするライティングダクト用フィードイン。
【請求項５】
請求項１〜４のいずれか１項に記載のライティングダクト用フィードインと、前記ダクト接続部に接続されたライティングダクトとを備えることを特徴とするライティングダクトシステム。
【発明の詳細な説明】
【技術分野】
【０００１】
本発明は、ライティングダクト用フィードイン及びこれを用いたライティングダクトシステムに関するものである。
【背景技術】
【０００２】
従来から、照明器具への給電にライティングダクトが用いられている（例えば、特許文献１参照）。ライティングダクトは、全体として樋状の細長い構造を有し、互いに対向する内面にそれぞれ長手方向に延長された給電端子を保持したものである。照明器具は、上記の給電端子に一対一に接触導通する受電端子を有してライティングダクト内に保持される接続部を有する。上記の各給電端子はそれぞれ電源に接続される。すなわち、上記の電源から照明器具への給電は、上記の給電端子と受電端子とを介して行われる。
【０００３】
上記のようなライティングダクトを用いれば、接続部をライティングダクト内に導入するだけで照明器具を電源に接続することができるから、照明器具の接続が容易となる。
【０００４】
さらに、上記の電源とライティングダクトと接続個所において電流を検出し、検出された電流を表示することが提案されている（例えば、特許文献２参照）。
【先行技術文献】
【特許文献】
【０００５】
【特許文献１】特開２０１１−１４６１８６号公報
【特許文献２】特開２００９−９８０６号公報
【発明の概要】
【発明が解決しようとする課題】
【０００６】
上記の電源とライティングダクトとの接続には、ライティングダクト用フィードインが用いられる。
【０００７】
しかしながら、従来は、ライティングダクト用フィードインにおいて、低電圧や過電流といった異常の発生を報知するものはなかった。
【０００８】
また、上記の低電圧や過電流の判断基準は、電源の出力特性に応じて決定する必要がある。特に、電源として直流電源が接続される場合には、電源として交流電源が接続される場合よりも、出力特性として多種多様なものが想定される。
【０００９】
本発明は、上記事由に鑑みて為されたものであり、その目的は、接続された直流電源の出力特性に応じた適切な報知を行うことができるライティングダクト用フィードイン及びこれを用いたライティングダクトシステムを提供することにある。
【課題を解決するための手段】
【００１０】
本発明のライティングダクト用フィードインは、照明器具が接続されるライティングダクトと電源との接続に用いられるライティングダクト用フィードインであって、前記電源に電気的に接続される電源接続部と、前記ライティングダクトに電気的に接続されるダクト接続部と、前記電源接続部と前記ダクト接続部とを互いに電気的に接続する内部配線と、前記内部配線に流れる電流の電流値が基準電流値を上回ったときに報知を行う報知部と、前記基準電流値を変更する基準電流値変更手段とを備えることを特徴とする。
【００１１】
本発明の別のライティングダクト用フィードインは、照明器具が接続されるライティングダクトと電源との接続に用いられるライティングダクト用フィードインであって、前記電源に電気的に接続される電源接続部と、前記ライティングダクトに電気的に接続されるダクト接続部と、前記電源接続部と前記ダクト接続部とを互いに電気的に接続する内部配線と、前記電源接続部に入力される電圧の電圧値が基準電圧値を下回ったときに報知を行う報知部と、前記基準電圧値を変更する基準電圧値変更手段とを備えることを特徴とする。
【００１２】
本発明の更に別のライティングダクト用フィードインは、照明器具が接続されるライティングダクトと電源との接続に用いられるライティングダクト用フィードインであって、前記電源に電気的に接続される電源接続部と、前記ライティングダクトに電気的に接続されるダクト接続部と、前記電源接続部と前記ダクト接続部とを互いに電気的に接続する内部配線と、前記内部配線に流れる電流の電流値が基準電流値を上回ったとき、並びに、前記電源接続部に入力される電圧の電圧値が基準電圧値を下回ったときに報知を行う報知部と、前記基準電流値を変更する基準電流値変更手段と前記基準電圧値を変更する基準電圧値変更手段との少なくとも一方とを備えることを特徴とする。
【００１３】
本発明の別のライティングダクト用フィードインは、照明器具が接続されるライティングダクトと電源との接続に用いられるライティングダクト用フィードインであって、前記電源に電気的に接続される電源接続部と、前記ライティングダクトに電気的に接続されるダクト接続部と、前記電源接続部と前記ダクト接続部とを互いに電気的に接続する内部配線と、前記内部配線に流れる電流の電流値が基準電流値を上回り、且つ、前記電源接続部に入力される電圧の電圧値が基準電圧値を下回ったときに報知を行う報知部と、前記基準電流値を変更する基準電流値変更手段と前記基準電圧値を変更する基準電圧値変更手段との少なくとも一方とを備えることを特徴とする。
【００１４】
本発明のライティングダクトシステムは、上記いずれかのライティングダクト用フィードインと、前記ダクト接続部に接続されたライティングダクトとを備えることを特徴とする。
【発明の効果】
【００１５】
本発明によれば、内部配線に流れる電流の電流値が基準電流値を上回る異常と、電源接続部に入力される電圧の電圧値が基準電圧値を下回る異常との、少なくとも一方を検出して報知することができる。また、接続される直流電源の出力特性に応じて、上記異常の判断基準としての基準電流値や基準電圧値を変更し、報知を直流電源の出力特性に応じた適切なものとすることができる。
【図面の簡単な説明】
【００１６】
【図１】本発明の実施形態を用いたライティングダクトシステムを示す斜視図である。
【図２】同上が接続されるライティングダクトの要部を示す斜視図である。
【図３】同上を示す分解斜視図である。
【図４】（ａ）（ｂ）はそれぞれ同上においてカバーが取り外された状態を示し、（ａ）は正面図、（ｂ）は下面図である。
【図５】同上における報知部を示す回路図である。
【図６】同上の変更例における報知部を示す回路図である。
【図７】図６の例における報知部を示す斜視図である。
【図８】同上に接続される電源の出力特性の例を示す説明図であり、（ａ）（ｂ）はそれぞれ異なる例を示す。
【図９】同上の別の変更例における報知部を示す回路図である。
【図１０】同上の更に別の変更例における報知部を示す斜視図である。
【発明を実施するための形態】
【００１７】
以下、本発明を実施するための最良の形態について、図面を参照しながら説明する。
【００１８】
本実施形態のライティングダクト用フィードイン１は、図１に示すように、照明器具２が接続されるライティングダクト３と直流電源４との接続に用いられるものである。直流電源４は例えば商用電源から供給された交流電力を直流電力に変換する周知のＡＣ−ＤＣコンバータである。ライティングダクト用フィードイン１と直流電源４との接続には、２本の電線４１が結束されてなる例えばＶＶＦケーブルのようなケーブル４２が用いられる。
【００１９】
以下、上下方向は図１を基準とし、ライティングダクト３の長手方向を前後方向と呼び、上記の上下方向と前後方向とに直交する方向を左右方向と呼ぶ。すなわち、ライティングダクト３に対して照明器具２が取り付けられる方向を下方向と呼ぶ。また、ライティングダクト用フィードイン１は、ライティングダクト３の長手方向の一端（以下、「後端」と呼ぶ。）に取り付けられる。
【００２０】
ライティングダクト３は、図２に示すように、ダクト本体３１と、導電材料からなりダクト本体３１に保持された給電端子３２とを備える。ダクト本体３１は、軸方向を前後方向に向けて側面を上下左右に向けた角筒の下面側が開放された樋状の本体部３１１と、本体部３１１の下端（開口端）から内向きに突設された内鍔３１２と、本体部３１１の上下方向の中央部において互いに対向する内面にそれぞれ突設された凸部３１３とを有する。凸部３１３の先端には凹部３１４が設けられており、給電端子３２は凹部３１３内に例えば押出成形技術を適用した一体成型によって保持されている。ここで、電磁遮蔽や機械的強度の確保のために、ダクト本体３１の一部は金属などの導電材料で構成されていてもよいが、その場合であっても、導電材料で構成された部位と給電端子３２との間の部位は合成樹脂のような絶縁材料で構成される。
【００２１】
照明器具２は、ライティングダクト３の給電端子３２に一対一に接触導通する２個の受電端子（図示せず）と、各受電端子を介して供給される電力によって点灯する電気的な光源（図示せず）とを有する。各受電端子は、ライティングダクト３の前後の一方側からライティングダクト３内に導入される。ライティングダクト３の長手方向の開口のうち一方はライティングダクト用フィードイン１によって閉塞され、他方はエンドキャップ３３によって閉塞される。エンドキャップ３３は、絶縁材料からなり、嵌合等の適宜の手段によりライティングダクト３に対して着脱自在に結合するものである。
【００２２】
ライティングダクト用フィードイン１は、図３及び図４に示すように、それぞれ１本ずつの電線４１を介して直流電源４に接続される電源接続部としての２個の端子板５１と、それぞれ１個ずつの給電端子３２に接触導通するダクト接続部としての２個の接触子５２（１個のみ図示）とを有する。各端子板５１と各接触子５２とはそれぞれ例えば金属のような導電材料からなる。端子板５１において電線４１が接続される構造としては、例えば速結端子やねじ端子といった周知の端子構造を採用することができる。
【００２３】
端子板５１と接触子５２とは内部配線５３を介して一対一に電気的に接続される。すなわち、接続が完了した状態では、各給電端子３２は、それぞれ、１本ずつの電線４１に対し、接触子５２と内部配線５３と端子板５１とを介して電気的に接続される。端子板５１と接触子５２とのそれぞれにおいて、内部配線５３の接続は、例えば端子ねじ５４を用いた締め付けによって達成される。端子ねじ５４は、端子板５１や接触子５２を貫通して後述する電源側ホルダ６３やダクト側ホルダ６４に螺合するものであってもよいし、端子板５１自体や接触子５２自体に螺合するものであってもよい。
【００２４】
各接触子５２は、それぞれ、合成樹脂からなるダクト接続ブロック６１にインサート成型されている。ダクト接続ブロック６１は、６つの面を上下左右前後方向に向けて前後方向に長い直方体形状の本体部６１１を有し、各接触子５２は本体部６１１の左右の一方ずつの側面から左右方向に突出する。また、本体部６１１の左右両面には、それぞれ接触子５２の下側において左右方向の外向きに突出しライティングダクト３１３の凸部３１３と内鍔３１２との間に導入される第１結合片６１２が突設されている。さらに、本体部６１１の上端部の左右両面には、それぞれライティングダクト３の凸部３１３の上側に導入される第２結合片６１３が突設されている。各接触子５２と各結合片６１２，６１３との前端部（図３での左上端部）は、前方へ向かって本体部６１１からの突出寸法を小さくするように傾斜しており、これによってライティングダクト３への導入が比較的に容易となっている。
【００２５】
ダクト接続ブロック６１は、金属板からなるベース６２の下側にねじ止め固定される。
【００２６】
また、ベース６２の下側には、下方から見て端子板５１と内部配線５３との接続部を覆う電源側ホルダ６３と、下方から見て接触子５２と内部配線５３との接続部を覆うダクト側ホルダ６４とが、それぞれねじ止めによって取り付けられる。電源側ホルダ６３とダクト側ホルダ６４とは、それぞれ例えば合成樹脂からなる。
【００２７】
さらに、前後方向において電源側ホルダ６３とダクト側ホルダ６４との間に挟まれる位置には報知部７が配置されている。報知部７は、異常の発生を検出して発光ダイオード７１の点灯により使用者に報知する回路を構成する回路部品がプリント配線板７０に実装されたものである。また、プリント配線板７０の後端部には、それぞれ内部配線５３を弾性的に挟持する形で１本ずつの内部配線５３に接触導通するクリップ状の２個の端子７２が、左右に並べて実装されている。さらに、プリント配線板７０の前端部には、端子７２と同様のクリップ状の構造を有して端子７２とともに１本ずつの内部配線５３を支持する２個の支持クリップ７６が左右に並べて固定されている。また、各内部配線５３は、図４に示すようにプリント配線板７０に対して接着剤７５によって固定される。
【００２８】
また、ベース６２の下側には、電源側ホルダ６３と報知部７とダクト側ホルダ６４との下方と左右両側と後方とを覆うカバー６５がねじ止め固定される。カバー６５には、報知部の発光ダイオード７１の光を通す窓穴６５０が設けられている。
【００２９】
以下、本実施形態の特徴である報知部７について説明する。
【００３０】
本実施形態の報知部７は、図５に示すように、内部配線５３と端子７２とを介して直流電源４から供給された電源電圧Ｖｄｃを所定電圧（以下、「制御電圧」と呼ぶ。）Ｖｃｃに降圧する三端子レギュレータＩＣを備える。ここで、図５に示す２個の端子７２は互いに異なる内部配線５３に接触導通しており、低電圧側の内部配線５３に接触する一方の端子７２の電位がグランドとされる。また、三端子レギュレータＩＣの入力端子と出力端子とはそれぞれコンデンサＣを介してグランドに接続されている。さらに、三端子レギュレータＩＣの入力端子と出力端子とはアノードを出力端子側に向けたダイオードＤを介して接続されている。すなわち、直流電源４からの電力供給が停止された後において三端子レギュレータＩＣの出力端子の電圧が入力端子の電圧よりも高くなってしまうことは上記のダイオードＤにより防止される。
【００３１】
また、報知部７は、一方の内部配線５３に流れる電流（すなわち、電源側接続部である端子板５１とダクト側接続部である接触子５２との間に流れる電流）の電流値が基準電流値を上回った異常状態（以下、「過電流」と呼ぶ。）を検出する過電流検出回路７３を備える。
【００３２】
異常電流検出回路７３は、一方の内部配線５３に流れる電流の電流値に応じた電圧を出力する電流検出素子７３１と、電流検出素子７３１の出力電圧を増幅する非反転増幅回路を構成する増幅器ＡＭＰと、増幅器ＡＭＰの出力電圧を上記の基準電流値に対応した基準電圧Ｖｒ１と比較するコンパレータＣＰ１と、コンパレータＣＰ１の出力電圧を反転させることで過電流検出回路７３の出力電圧を生成するインバータＩＮＶとを備える。
【００３３】
電流検出素子７３１は、磁性体からなり環形状にギャップが設けられたＣ字形状のコアと、コアのギャップ内に配置されて上記一方の内部配線５３を囲む環形状をコアとともに構成するホール素子とからなる。すなわち、上記一方の内部配線５３に流れる電流に比例した電圧がホール素子に発生し、この電圧が増幅器ＡＭＰの非反転入力端子に入力される。
【００３４】
発光ダイオード７１は、抵抗Ｒ１とＮＰＮ形のトランジスタＱ１とともに直列回路を構成し、この直列回路の両端間に制御電圧Ｖｃｃが入力されている。また、上記のトランジスタＱ１のベースは、抵抗Ｒ２を介して過電流検出回路７３のインバータＩＮＶの出力端子に接続されている。
【００３５】
すなわち、内部配線５３に流れる電流の電流値が基準電流値を上回ったときに、過電流検出回路７３の出力がＨレベルとなることで、トランジスタＱ１がオンされて発光ダイオード７１が点灯される。
【００３６】
ここで、基準電圧Ｖｒ１は、制御電圧Ｖｃｃが分圧抵抗Ｒ３０〜Ｒ３３の直列回路によって分圧されたものであり、コンパレータＣＰ１との接続点よりも低電圧側の直列回路を構成する分圧抵抗Ｒ３１〜Ｒ３３の個数は切替スイッチＳＷ１の切替により変更可能となっている。つまり、基準電流値変更手段としての切替スイッチＳＷ１を手動で切換操作することで、基準電圧Ｖｒ１を変更し、すなわち基準電流値を変更することができる。
【００３７】
なお、上記の過電流検出回路７３に代えて、図６に示すように、電源電圧Ｖｄｃ（すなわち内部配線５３間の電圧であり、電源接続部としての端子板５１に入力された電圧）の電圧値が基準電圧値を下回った異常状態（以下、「低電圧」と呼ぶ。）を検出する低電圧検出回路７４を設けてもよい。この場合、図７に示すように電流検出素子７３１は設けられない。
【００３８】
低電圧検出回路７４は、電源電圧Ｖｄｃが分圧抵抗Ｒ４１，Ｒ４２によって分圧された電圧が反転入力端子に入力されるとともに、制御電圧Ｖｃｃが分圧抵抗Ｒ５０〜Ｒ５２によって分圧された基準電圧Ｖｒ２が非反転入力端子に入力され、出力端子が抵抗Ｒ２を介してトランジスタＱ１のベースに接続されたコンパレータＣＰ２を備える。上記の基準電圧Ｖｒ２は、図５の例における基準電圧Ｖｒ１と同様に、基準電圧値変更手段としての切替スイッチＳＷ２を手動で切替操作することにより低圧側の分圧抵抗Ｒ５１，Ｒ５２の接続数を変更することで変更可能となっている。
【００３９】
図６の例においては、電源電圧Ｖｄｃの電圧値が、電源電圧Ｖｄｃを分圧する分圧抵抗Ｒ４１，Ｒ４２の分圧比で基準電圧Ｖｒ２を除した値である基準電圧値を下回ったときに低電圧が検出され、発光ダイオード７１の点灯によって報知される。
【００４０】
ここで、接続される直流電源４としては、図８（ａ）や図８（ｂ）に示すように、出力電流Ｉｄｃが定格電流Ｉ１に達するまでは出力電圧Ｖｄｃを定格電圧Ｖ１に維持し、出力電流Ｉｄｃが定格電流Ｉ１以上となったときに出力電圧Ｖｄｃを低下させるものが想定されている。
【００４１】
過電流検出回路７３における基準電流値は例えば直流電源４の定格電流Ｉ１とされ、低電圧検出回路７４における基準電圧値は例えば直流電源４の定格電圧Ｖ１の９０％の電圧値Ｖ２とされる。
【００４２】
図５の例では基準電流値変更手段としての切替スイッチＳＷ１により基準電流値を変更することができ、図６の例では基準電圧値変更手段としての切替スイッチＳＷ２により基準電圧値を変更することができるから、それぞれ、出力特性としての定格電圧Ｖ１や定格電流Ｉ１が異なる複数種類の直流電源４に対応した適切な報知を行うことができる。また、直流電源４が交換される場合であっても、交換後の直流電源４が切替スイッチＳＷ１，ＳＷ２の切替により対応可能なものであればライティングダクト用フィードイン１を交換する必要がないから、切替コストが抑えられる。
【００４３】
さらに、図９に示すように、過電流検出回路７３と低電圧検出回路７４との両方を設けてもよい。図９の例では、過電流検出回路７３の出力電圧と低電圧検出回路７４の出力電圧とはそれぞれ論理和回路ＯＲ１，ＯＲ２を用いたラッチ回路を介して論理積回路ＡＮＤの一方ずつの入力端子に入力され、この論理積回路ＡＮＤの出力端子が抵抗を介してトランジスタＱ１のベースに接続されている。つまり、過電流と低電圧との一方が検出された後に他方が検出された場合に、発光ダイオード７１の点灯によって報知が行われる。図９の例では低電圧検出回路７４における基準電圧Ｖｒ２は一定とされているが、図６の例と同様の切替スイッチＳＷ２を設けて基準電圧Ｖｒ２の変更（すなわち基準電圧値の変更）を可能としてもよい。また、図９の例とは逆に、過電流検出回路７３における基準電圧Ｖｒ１を一定（すなわち基準電流値を一定）として基準電圧Ｖｒ２の変更（すなわち基準電圧値の変更）のみを可能としてもよい。
【００４４】
なお、図９の例のように論理積を用いる代わりに、論理和によって報知が行われるようにしてもよい。または、図１０に示すように、発光ダイオード７１とトランジスタＱ１との直列回路（発光ダイオード７１のみ図示）を２個設け、過電流の検出と低電圧の検出とで別々の発光ダイオード７１が点灯されるようにしてもよい。この場合、カバー６５の窓穴６５０は、発光ダイオード７１に一対一に対応して２個設けられ、又は、２個の発光ダイオード７１の光を出射させる程度に十分に大きな寸法形状とされる。
【００４５】
また、図９の例のように論理積を用いる場合や上記のように論理和を用いる場合においてラッチ回路（論理和回路ＯＲ１，ＯＲ２）を省略したり、逆に図５の例や図６の例においてラッチ回路を追加してもよい。
【００４６】
さらに、図５の例や図９の例では切替可能な基準電流値が３段階とされ、図６の例では切替可能な基準電圧値が２段階とされているが、これらは接続が想定される直流電源４の種別（出力特性）の個数に応じて適宜変更可能である。
【符号の説明】
【００４７】
１  ライティングダクト用フィードイン
２  照明器具
３  ライティングダクト
４  直流電源
７  報知部
３２  給電端子
５１  端子板（電源接続部）
５２  接触子（ダクト接続部）
５３  内部配線
７１  発光ダイオード
ＳＷ１  切替スイッチ（基準電流値変更手段）
ＳＷ２  切替スイッチ（基準電圧値変更手段）
【図１】
2014022136.tif 000003
【図２】
2014022136.tif 000004
【図３】
2014022136.tif 000005
【図４】
2014022136.tif 000006
【図５】
2014022136.tif 000007
【図６】
2014022136.tif 000008
【図７】
2014022136.tif 000009
【図８】
2014022136.tif 000010
【図９】
2014022136.tif 000011
【図１０】
2014022136.tif 000012